(57)【要約】      （修正有）【課題】カラス等の動物による被害を防止するためのゴミ集積場所用重しを提供する。特に、製造コストが廉価で、取り扱い易く、また耐久性のあるゴミ集積場所用重しを提供する。【解決手段】ゴミ集積場所用重しは、重し部１と持ち手２とを備えたゴミ集積場所用の重しであって、重し部１は、樹脂製またはゴム製の容器部１ａと、容器部１ａ内部を満たすコンクリート１ｂとからなり、容器部１ａは、底部の断面積が小さくなった外形形状を有し、容器部１ａの底面には開口１ｄが設けられ、上面には持ち手２を挿入する挿入孔が設けられ、当該挿入孔に持ち手２が挿入されていることを特徴とするものである。【選択図】図１
0003199949.tif 000002
【実用新案登録請求の範囲】
【請求項１】
重し部と持ち手とを備えたゴミ集積場所用の重しであって、
上記重し部は、
樹脂製またはゴム製の容器部と、
上記容器部内部を満たすコンクリートと、
からなり、
上記容器部は、底部の断面積が小さくなった外形形状を有し、
上記容器部の底面には開口が設けられ、
上記容器部の上面には上記持ち手を挿入する挿入孔が設けられ、
当該挿入孔に上記持ち手が挿入されている
ことを特徴とするゴミ集積場所用重し。
【請求項２】
上記容器部が弾力性のある素材で構成されている
ことを特徴とする請求項１に記載のゴミ集積場所用重し。
【請求項３】
上記持ち手は、Ｌ字状の部材である
ことを特徴とする請求項１または２に記載のゴミ集積場所用重し。
【請求項４】
上記持ち手に滑り止めコーティングがなされた
ことを特徴とする請求項１から３のいずれかに記載のゴミ集積場所用重し。
【請求項５】
上記持ち手にカバーが設けられた
ことを特徴とする請求項１から３のいずれかに記載のゴミ集積場所用重し。
【請求項６】
上記重し部の底部に凹部が設けられた
ことを特徴とする請求項１から５のいずれかに記載のゴミ集積場所用重し。
【考案の詳細な説明】
【技術分野】
【０００１】
本考案は、ゴミ容器用の重しに関するものである。
【背景技術】
【０００２】
市町村等の自治体による生ゴミ収集は、週に２回等、曜日を決めて行われる。例えば、指定された収集日に集積所に集めたものをゴミ収集車が回収する。ゴミ収集車が回収する前に、カラスや猫が袋を破って食い散らすという問題がある。
【０００３】
そこで、安価で容易に組み立て設置でき、ゴミ出しの日のみ簡単に組み立て設置する事ができ、ゴミ等を大量に保管でき、容易に回収作業が出来るゴミ容器等物入れが提案されている（例えば、特許文献１）。
【先行技術文献】
【特許文献】
【０００４】
【特許文献１】実用新案登録第３１５５４１３号
【考案の概要】
【考案が解決しようとする課題】
【０００５】
しかしながら、ゴミ出し日に上述のゴミ容器等物入れを組立て、ゴミ収集が終了した後に解体することは容易なことでは無い。特に、一般の住宅街では道路が狭く、一時的にせよ、このようなゴミ容器等物入れを道路に設置できないことが多い。
また、導入コストも安価では無い。
【０００６】
本考案は、このような諸課題を考慮した上でなされたものであり、住宅街や集合住宅、商店街等、様々なエリアで簡単に且つ低コストで導入できる対処策を提示するものである。
【課題を解決するための手段】
【０００７】
本考案の請求項１に係るゴミ集積場所用重しは、重し部と持ち手とを備えたゴミ集積場所用の重しであって、上記重し部は、樹脂製またはゴム製の容器部と、上記容器部内部を満たすコンクリートとからなり、上記容器部は、底部の断面積が小さくなった外形形状を有し、上記容器部の底面には開口が設けられ、上記容器部の上面には上記持ち手を挿入する挿入孔が設けられ、当該挿入孔に上記持ち手が挿入されていることを特徴とする。
【０００８】
本考案の請求項２に係るゴミ集積場所用重しは、上記容器部が弾力性のある素材で構成されていることを特徴とする。
【０００９】
本考案の請求項３に係るゴミ集積場所用重しは、上記持ち手は、Ｌ字状の部材であることを特徴とする。
【００１０】
本考案の請求項４に係るゴミ集積場所用重しは、上記持ち手に滑り止めコーティングがなされたことを特徴とする。
【００１１】
本考案の請求項５に係るゴミ集積場所用重しは、上記持ち手にカバーが設けられたことを特徴とする。
【００１２】
本考案の請求項６に係るゴミ集積場所用重しは、上記重し部の底部に凹部が設けられたことを特徴とする。
【考案の効果】
【００１３】
カラス等の動物による被害を防ぐため、ゴミ容器を収納する物入れ等が提案されているが、そのような物入れはどこでも設置できるわけでは無く、自動車等の通行を妨げないスペースがある場合に限られる。多くの住宅地や商店街においては、ゴミ容器を道端に出す昔ながらの風景が一般的である。本考案は、このようなゴミ容器をカラス等の動物から守るためになされたものである。以下、本考案の特長を述べる。
【００１４】
まず、簡便に導入できる。製造コストが廉価であり、どのようなゴミ容器にも用いることが可能であり、また、道路スペースを使用することも無いためである。
【００１５】
また、持ち手が設けられているので、取り扱いが容易である。石やレンガに比べて、簡便に且つ確実に設置できる。また、ゴミ収集の際にも、収集員が容易に扱えるため、収集作業がはかどる。特に、持ち手にコーティングを施したり、カバーを設けることで、ハンドリングがさらに容易になる。
【００１６】
さらに、コンクリートを用いているので、廉価であると同時に耐久性を有している。
特に、上部の断面積が小さくなったボトルネック形状の容器にコンクリートを注入しているため、重心が低い位置にあり、設置時の安定性が増す。また、コンクリートが容器から飛び出すことが無く、さらに、コンクリートを乾かす際に上下反対に設置しやすく、コンクリート乾燥後に、容器部とコンクリートに隙間が生じない。
【図面の簡単な説明】
【００１７】
【図１】本考案に係るゴミ集積場所用重しの側面図である。
【図２】本考案に係るゴミ集積場所用重しの上面図である。
【図３】本考案に係るゴミ集積場所用重しの使用方法を説明するための図である。
【図４】本考案の実施の形態２に係るゴミ集積場所用重しの側面図である。
【考案を実施するための形態】
【００１８】
なお、以下の説明は本考案に関する良好な一例を開示するものであり、本考案が当該実施の形態に限定されるものではない。例えば、本実施の形態において開示する考案品の材料や寸法等は、良好な一例を示すに過ぎず、その他の可能性を否定するものでは無い。
【００１９】
実施の形態１．
＜構成＞
本考案のゴミ集積場所用重しの一例を、図１および図２を用いて説明する。
図１はゴミ集積場所用重しの側面図であり、図２は上面図である。
【００２０】
ゴミ集積場所用重しは、重し部１と持ち手２とを備えたゴミ容器用の重しであって、上記重し部１は、樹脂製やゴム製の容器部１ａと、上記容器部１内部を満たすコンクリート１ｂとからなり、上記容器部１ａは、底面には開口１ｄが設けられ、底部の断面積が小さくなった外形形状を有し、当該容器部１ａの上面には上記持ち手２を挿入する挿入孔１ｃが設けられ、当該挿入孔１ｃに上記持ち手２が挿入されている。
【００２１】
重し部１の大きさは、例えば、底面の直径が約１３５ｍｍ、注入孔１ｃの直径が４０ｍｍ程度である。また、高さは１１０ｍｍ程度である。持ち手２も加えた全体の重さは、２ｋｇから３ｋｇである。
【００２２】
容器部１ａを形成する素材は、樹脂や合成ゴム等が適しており、特に弾力性のある素材が好ましい。ゴミ集積場所用重しは、必ずしも丁寧に扱われるわけではなく、乱雑に扱われる場合も想定され、道路に落下したりした場合にも、ゴミ集積場所用重しに掛かる衝撃を和らげ、破損することを抑止するためである。あるいは、道路を破損したり、人に当たってけがを負わせたりしないようにするためである。
【００２３】
容器部１ａの上面には、上記持ち手２を挿入するための挿入孔１ｃが設けられている。この挿入孔１ｃは、持ち手２を挿入し、重し部１にしっかりと固定する役割を有している。
また、容器部１ａは、底部の断面積が小さくなった外形形状を有している。例えば、断面積の最も大きい部分の外径が１４０ｍｍであり、底面の外径は１３０ｍｍから１３５ｍｍである。図２における１ｅは底面の外縁であり、この底面は開口している。この底面の開口より、容器部１ａにコンクリート１ｂを流し込むことができる。
【００２４】
持ち手２は、Ｌ字状の形状をした部材であり、本実施の形態においては、Ｌ字状の鉄筋、あるいは鉄パイプを用いている。そして、必要に応じて、Ｌ字状の部材にはコーティングを施しても良い。特に、滑り止めのコーティングを施すことで、ゴミ集積場所用重しを扱う際にしっかりと持ち手２を握れるというメリットが生じる。
また、持ち手２に樹脂製等のカバー３を設けても良い。図１においては、カバー３は持ち手２の水平部分だけを覆っているが、重し部１から上に出ている全ての分部を覆うようにしても良い。
【００２５】
＜作製方法＞
次に、このゴミ集積場所用重しの作製方法について説明する。
容器部１ａを図１における状態と上下逆に設置し、挿入孔１ｃに持ち手２を挿入する。そして、開口１ｄからコンクリート１ｂを注入する。コンクリート１ｂを乾燥させる。
【００２６】
＜使用方法＞
次に使用方法について説明する。
図３は、例えば住宅の壁面４の前にゴミ集積場所が設けられている場合であり、カラス等がゴミ袋を荒らすのを防ぐために、ネット５が設けられている。ネット５の一辺は、壁面４にアンカー６を用いて固定されている。他辺は、本考案のゴミ集積場所用重しにより抑えられている。
また、地域によっては、ゴミ容器をゴミ集積場所に出すケースもある。ゴミ容器には蓋が設けられ、回転ロック等ができるものもあるが、ゴミの量が多い場合には、蓋が完全に閉まらず、ロックが効かないケースも多々見られる。このような場合には、ゴミ容器の蓋の上に、本考案のゴミ集積場所用重しを置くことで、カラス等が蓋を外し、ゴミを荒らすことを防止できる。
【００２７】
実施の形態２．
＜構成＞
本考案のゴミ集積場所用重しの別の一例を、図４を用いて説明する。
図４はゴミ集積場所用重しの側面図である。実施の形態１で述べたゴミ集積場所用重しと異なる点は、重し部の底部に凹部１０ｆが設けられている点である。
【００２８】
すなわち、ゴミ集積場所用重しは、重し部１０と持ち手２とを備えたゴミ容器用の重しであって、上記重し部１０は、樹脂製やゴム製の容器部１０ａと、上記容器部１０内部を満たすコンクリート１０ｂとからなり、上記容器部１０ａは、底面には開口１０ｄが設けられ、底部の断面積が小さくなった外形形状を有し、当該容器部１０ａの上面には上記持ち手２を挿入する挿入孔１０ｃが設けられ、当該挿入孔１０ｃに上記持ち手２が挿入されている。そして、重し部１０の底部には、凹部１０ｆが設けられている。
【００２９】
＜作製方法＞
次に、このゴミ集積場所用重しの作製方法について説明する。
容器部１０ａを図１における状態と上下逆に設置し、挿入孔１０ｃに持ち手２を挿入する。そして、開口１０ｄから少な目の量のコンクリート１０ｂを注入する。コンクリートが完全に乾燥する前に、凹部１０ｆの形状のプラスチック等の部材を開口１０ｄから容器部１０ａに押し込む。コンクリート１０ｂを少な目の量にしたのは、この時に、コンクリート１０ｂが容器部１０ａからこぼれないようにするためである。そして、コンクリート１０ｂを乾燥させる。乾燥後に、凹部１０ｆの形状のプラスチック等の部材を引き抜き、容器部１０ａの両側面を凹部１０ｆの形状にカットする。
なお、凹部１０ｆの形状のプラスチック等の部材に、挿入する側が細くなるようなわずかなテーパーを設けてやると、乾燥後の引き抜き作業が容易に行える。
【００３０】
＜使用方法＞
次に使用方法について説明する。
ゴミ容器をゴミ集積場所に出すケースにおいて、ゴミ容器の蓋の持ち手が凹部１０ｆ内に納まるように、ゴミ集積場所用重しをゴミ容器の蓋の上に設置する。このようにすることで、より安定にゴミ集積場所用重しをゴミ容器の蓋の上に設置できる。
【００３１】
＜本考案の特長＞
カラス等の動物による被害を防ぐため、ゴミ容器を収納する物入れ等が提案されているが、そのような物入れはどこでも設置できるわけでは無く、自動車等の通行を妨げないスペースがある場合に限られる。多くの住宅地や商店街においては、ゴミ容器を道端に出す昔ながらの風景が一般的である。本考案は、このようなゴミ容器をカラス等の動物から守るためになされたものである。以下、本考案の特長を述べる。
【００３２】
まず、簡便に導入できる。製造コストが廉価であり、どのようなゴミ容器にも用いることが可能であり、また、道路スペースを使用することも無いためである。
【００３３】
また、持ち手が設けられているので、取り扱いが容易である。石やレンガに比べて、簡便に且つ確実に設置できる。また、ゴミ収集の際にも、収集員が容易に扱えるため、収集作業がはかどる。特に、持ち手にコーティングを施したり、カバーを設けることで、ハンドリングがさらに容易になる。
【００３４】
さらに、コンクリートを用いているので、廉価であると同時に耐久性を有している。
特に、上部の断面積が小さくなったボトルネック形状の容器にコンクリートを注入しているため、重心が低い位置にあり、設置時の安定性が増す。また、コンクリートが容器から飛び出すことが無く、さらに、コンクリートを乾かす際に上下反対に設置しやすく、コンクリート乾燥後に、容器部とコンクリートに隙間が生じない。
【００３５】
また、底部に凹部を設けることで、より安定にゴミ集積場所用重しをゴミ容器の蓋の上に設置できる。
【符号の説明】
【００３６】
１  重し部
１ａ  容器部  
１ｂ  コンクリート
１ｃ  注入孔
１ｄ  開口
１ｅ  開口外縁
２  持ち手
３  カバー
１０  重し部
１０ａ  容器部  
１０ｂ  コンクリート
１０ｃ  注入孔
１０ｄ  開口
１０ｆ  底面凹部
【図１】
0003199949.tif 000003
【図２】
0003199949.tif 000004
【図３】
0003199949.tif 000005
【図４】
0003199949.tif 000006